(57)【特許請求の範囲】
【請求項１】
複数の鍵本体部が各々、対応する薄板状のヒンジ部を介して共通基端部に押離鍵方向に揺動自在に支持された鍵ユニットと、
前記鍵ユニットの前記共通基端部を固定的に支持する基端部支持部を有する鍵フレームとを有し、
前記鍵ユニットの前記ヒンジ部は、前記鍵本体部の押鍵面に対して交差し且つ鍵並び方向に平行に形成され、
前記共通基端部及び前記基端部支持部の一方には、鍵並び方向に沿った凹溝が形成されると共に、前記共通基端部及び前記基端部支持部の他方には、鍵並び方向に沿い前記凹溝に嵌合する突条部が形成され、
前記突条部には突部が設けられると共に前記凹溝には嵌合部が設けられ、
前記凹溝に前記突条部が嵌合されることで、前記鍵ユニットの前記共通基端部と前記鍵フレームの前記基端部支持部の少なくとも一方の弾性変形によって、前記共通基端部が前記基端部支持部に嵌合固定されると共に、
前記凹溝に前記突条部が嵌合される際に前記嵌合部に前記突部が嵌合されることにより、前記共通基端部の前記基端部支持部に対する鍵並び方向及び上下方向の位置が規制されると共に、前記凹溝の底面と前記突条部の先端との間に間隙が生じ、
且つ、前記鍵本体部に下方への所定以上の力がかかると前記嵌合部と前記突部との嵌合が一時的にずれて前記凹溝の底面と前記突条部の先端とが当接することで前記力に抗し、前記力が解除されると前記嵌合部と前記突部との嵌合のずれが解消して元の嵌合状態に復帰することを特徴とする鍵盤装置。
【請求項２】
前記鍵ユニットは、少なくとも１つの白鍵ユニットと１つの黒鍵ユニットとが積層されて成り、前記基端部支持部に嵌合固定される前記共通基端部は、前記白鍵ユニットの白鍵共通基端部と前記黒鍵ユニットの黒鍵共通基端部とが積層されたものであることを特徴とする請求項１記載の鍵盤装置。
【請求項３】
前記鍵ユニットは、前記白鍵ユニットと前記黒鍵ユニットとが積層された状態且つ前記鍵フレームに組み付けられる前の状態で、前記白鍵ユニットと前記黒鍵ユニットとの鍵並び方向の位置関係を規制する位置規制手段を有することを特徴とする請求項２記載の鍵盤装置。
【発明の詳細な説明】
【技術分野】
【０００１】
本発明は、複数の鍵本体部がヒンジ部を介して共通基端部に揺動自在に支持された鍵ユニットを鍵フレームに組み付けた鍵盤装置に関する。
【背景技術】
【０００２】
従来、鍵フレームに鍵ユニットが組み付けられた鍵盤装置において、複数の鍵本体部が薄板状のヒンジ部を介して共通基端部に揺動自在に支持されて鍵ユニットが構成されたものが知られている。例えば、下記特許文献１では、２つの白鍵ユニットと１つの黒鍵ユニットとを積層して鍵ユニットが構成される。ところが、各鍵ユニットのヒンジ部は、押鍵面とほぼ平行に後方に水平に延設されるため、鍵ユニットの鍵長手方向の寸法が長くなり、鍵盤装置の奥行きが長くなる。
【０００３】
一方、下記特許文献２における鍵ユニットは、ヒンジ部及び共通基端部が鍵本体部後部から下方に鉛直に延設されて、鍵ユニットの鍵長手方向の寸法が短縮されている。
【特許文献１】特許第２６２８６５６号公報
【特許文献２】特開２００１−２１５９６８号公報
【発明の開示】
【発明が解決しようとする課題】
【０００４】
しかしながら、上記特許文献２では、共通基端部を鍵フレームに対して複数箇所でネジ止め固定しているため、鍵ユニットの鍵フレームに対する組み付け工数が多く、部品点数も増えるという問題がある。また、作業者は、鍵ユニットを鍵フレームに組み付ける際に適当な位置に載置する作業を、通常、鍵盤装置の前側から行う。これに対して、上記特許文献２では、ネジは鍵盤装置の後方から螺合される構成であるため、鍵盤装置の前後反転等の工程が増え、作業性がよくないという問題もある。
【０００５】
本発明は上記従来技術の問題を解決するためになされたものであり、その目的は、鍵盤装置の奥行き寸法を抑えると共に、簡単な作業にて鍵ユニットを鍵フレームに組み付けることができる鍵盤装置を提供することにある。
【課題を解決するための手段】
【０００６】
上記目的を達成するために本発明の請求項１の鍵盤装置は、複数の鍵本体部が各々、対応する薄板状のヒンジ部を介して共通基端部に押離鍵方向に揺動自在に支持された鍵ユニットと、前記鍵ユニットの前記共通基端部を固定的に支持する基端部支持部を有する鍵フレームとを有し、前記鍵ユニットの前記ヒンジ部は、前記鍵本体部の押鍵面に対して交差し且つ鍵並び方向に平行に形成され、前記共通基端部及び前記基端部支持部の一方には、鍵並び方向に沿った凹溝が形成されると共に、前記共通基端部及び前記基端部支持部の他方には、鍵並び方向に沿い前記凹溝に嵌合する突条部が形成され、前記突条部には突部が設けられると共に前記凹溝には嵌合部が設けられ、前記凹溝に前記突条部が嵌合されることで、前記鍵ユニットの前記共通基端部と前記鍵フレームの前記基端部支持部の少なくとも一方の弾性変形によって、前記共通基端部が前記基端部支持部に嵌合固定されると共に、前記凹溝に前記突条部が嵌合される際に前記嵌合部に前記突部が嵌合されることにより、前記共通基端部の前記基端部支持部に対する鍵並び方向及び上下方向の位置が規制されると共に、前記凹溝の底面と前記突条部の先端との間に間隙が生じ、且つ、前記鍵本体部に下方への所定以上の力がかかると前記嵌合部と前記突部との嵌合が一時的にずれて前記凹溝の底面と前記突条部の先端とが当接することで前記力に抗し、前記力が解除されると前記嵌合部と前記突部との嵌合のずれが解消して元の嵌合状態に復帰することを特徴とする。
【００１１】
なお、上記括弧内の符号は例示である。
【発明の効果】
【００１２】
本発明の請求項１によれば、鍵盤装置の奥行き寸法を抑えると共に、簡単な作業にて鍵ユニットを鍵フレームに組み付けることができる。また、共通基端部の基端部支持部への嵌合固定により、自然に抜け止め状態になるようにして、固定状態の安定化と作業性向上を図ることができる。
【００１４】
請求項２によれば、嵌合固定の構成を簡単にすると共に、簡単な作業にて、複数の鍵ユニットをひとまとめにして鍵フレームに組み付けることができる。
【００１５】
請求項３によれば、複数の鍵ユニットをひとまとめにして組み付ける際の取り扱いを容易にして、作業性を一層高めることができる。
【発明を実施するための最良の形態】
【００１７】
以下、本発明の実施の形態を図面を参照して説明する。
【００１８】
（第１の実施の形態）
図１は、本発明の第１の実施の形態に係る鍵盤装置の主要部の右側面図である。本鍵盤装置は、電子鍵盤楽器として構成され、鍵フレーム１０に鍵ユニットＵＮＴが取り付けられてなる。以降、本鍵盤装置の奏者側（図１の左方）を前方とし、左右方向については奏者を基準として呼称する。
【００１９】
図２（ａ）は、鍵ユニットＵＮＴの斜視図、図２（ｂ）は鍵フレーム１０の斜視図である。図２（ａ）に示すように、鍵ユニットＵＮＴは、例えば、１オクターブを単位として構成され、複数の白鍵本体２７をそれぞれ有する第１白鍵ユニットＷＵ１及び第２白鍵ユニットＷＵ２と、複数の黒鍵本体２８を有する黒鍵ユニットＢＵとが積層状態に組み付けられてなる。鍵フレーム１０は、樹脂または金属で全鍵幅に亘る長さに一体に構成される。従って、図２（ｂ）では、鍵フレーム１０の一部（１オクターブ分）がカットして示されている。
【００２０】
図１、図２（ｂ）に示すように、鍵フレーム１０の前部下部には、白鍵本体２７、黒鍵本体２８の押鍵時の下限位置を規制する押鍵ストッパ１１が設けられ、前部上部には離鍵時の上限位置を規制する上限ストッパ１４が設けられる。鍵フレーム１０の前後方向中間部には、白鍵本体２７、黒鍵本体２８の各々に対応して、２メイク用の押鍵スイッチ１２、１３が配設される。なお、図２（ｂ）に示す鍵フレーム１０においては、押鍵スイッチ１２、１３が取り付けられるための取付部の図示が省略されている。鍵フレーム１０の後部１０ａには、鍵ユニットＵＮＴの後述する全鍵共通基端部２０を嵌合支持する凹溝１５が全鍵幅に亘って形成される。凹溝１５は、側面視コ字状で、上方に開口している。
【００２１】
図３は、黒鍵ユニットＢＵの斜視図である。図４は、白鍵、黒鍵ユニットＷＵ１、ＷＵ２、ＢＵ及び鍵ユニットＵＮＴの後半部の側面図である。
【００２２】
図２（ａ）、図３、図４に示すように、黒鍵ユニットＢＵは、音高Ｃ＃、Ｄ＃、Ｆ＃、Ｇ＃、Ａ＃に相当する黒鍵本体２８を備える。また、図２（ａ）、図４に示すように、第１白鍵ユニットＷＵ１は、音高Ｃ、Ｅ、Ｇ、Ｂに相当する白鍵本体２７−１を備え、第２白鍵ユニットＷＵ２は、音高Ｄ、Ｆ、Ａに相当する白鍵本体２７−２を備える。以降、各白鍵本体を区別しないときは、単に「白鍵本体２７」と記す。白鍵本体２７、黒鍵本体２８の前半部の上面は押鍵面２７ａ、２８ａとして機能する。白鍵、黒鍵ユニットＷＵ１、ＷＵ２、ＢＵは、各々、樹脂で一体成形により構成される。
【００２３】
図１、図２、図３に示すように、各白鍵本体２７、黒鍵本体２８の各前部からは、押鍵されたときに押鍵ストッパ１１に当接するストッパ当接片２９、３０が垂下して形成されている。
【００２４】
図３、図４に示すように、黒鍵ユニットＢＵにおいて、各黒鍵本体２８の後端部から薄板状のヒンジ部２６が下方に延設され、ヒンジ部２６の下端部が、１オクターブ分の長さに亘る黒鍵共通基端部２３に接続されている。ヒンジ部２６及び黒鍵共通基端部２３は、同厚で鉛直方向に延び、鍵並び方向（左右方向）に平行である。各黒鍵本体２８は、対応するヒンジ部２６を介して、黒鍵共通基端部２３に対して上下方向（押離鍵方向）に揺動自在である。黒鍵共通基端部２３の左右端部には、組み付けられた鍵ユニットＵＮＴが左右方向にばらけないようにするための仮止め片３１が形成されている。各仮止め片３１は、黒鍵共通基端部２３の左右両端から前方に板状に延設されている。
【００２５】
図４に示すように、黒鍵ユニットＢＵと同様に、第１白鍵ユニットＷＵ１において、各白鍵本体２７−１の後端部から、ヒンジ部２４が下方に延設され、ヒンジ部２４の下端部が、第１白鍵共通基端部２１に接続されている。第２白鍵ユニットＷＵ２において、各白鍵本体２７−２の後端部から、ヒンジ部２５が下方に延設され、ヒンジ部２５の下端部が、第２白鍵共通基端部２２に接続されている。各白鍵本体２７は、対応するヒンジ部２４、２５を介して第１、第２白鍵共通基端部２１、２２に対して上下方向に揺動自在である。ヒンジ部２４及び第１白鍵共通基端部２１、ヒンジ部２５及び第２白鍵共通基端部２２は、いずれも同厚で鉛直方向に延び、押鍵面２７ａとは直角を成し、鍵並び方向には平行である。
【００２６】
第１白鍵ユニットＷＵ１、第２白鍵ユニットＷＵ２及び黒鍵ユニットＢＵが組み付けられる際には、図４に示すように、それぞれの共通基端部である第１白鍵共通基端部２１、第２白鍵共通基端部２２及び黒鍵共通基端部２３が前方から順に積層される。これら共通基端部２１〜２３が当接して積層されたものが、上記した全鍵共通基端部２０となる。
【００２７】
各押鍵スイッチ１２、１３は、白鍵本体２７、黒鍵本体２８のうち対応するものに押圧されて、押離鍵動作を検出する。そして、不図示の楽音発生部により、検出された押離鍵動作に基づく楽音が発生するようになっている。
【００２８】
図５は、鍵フレーム１０及び鍵ユニットＵＮＴの組み付け前の状態を分解して示す平面図である。図６は、図５のＡ−Ａ線に沿う断面図である。図５において、最左側と最右側には、鍵フレーム１０の後部１０ａを凹溝１５で前後に分けたものが示されている。そして、これらの間に、鍵ユニットＷＵ１、ＷＵ２、ＢＵの各後端部が示されている。
【００２９】
図２（ｂ）、図５に示すように、鍵フレーム１０の後部１０ａにおいて、凹溝１５の前側には、鍵並び方向における複数箇所（例えば３箇所）に、弾性片１７が一体に突設形成されている。弾性片１７は、上方に延設され、鍵並び方向に沿って薄く形成され、上端が前後方向に撓み得るようになっている。弾性片１７の後面には、背面視円形の突部１７ａが一体に突設形成されている（図６も参照）。
【００３０】
また、図２（ｂ）、図５、図６に示すように、後部１０ａにおいて、凹溝１５の後側には、鍵並び方向における複数箇所（例えば２箇所）に、弾性片１６が一体に突設形成されている。弾性片１６は、上方に延設された部分である可撓部１６ｂを有し、可撓部１６ｂは、鍵並び方向に沿って薄く形成され、上端が前後方向に撓み得るようになっている。図６に示すように、可撓部１６ｂの上部からは、後方に屈曲した操作用の爪部１６ａが延設されている。可撓部１６ｂには、円形の嵌合穴１６ｃが、前後方向に貫通して形成されている。
【００３１】
弾性片１７の後面と可撓部１６ｂの前面との間隔は、凹溝１５の前後方向の幅と同じであり、この間隔乃至幅は、共通基端部２１〜２３を合わせた厚み、すなわち、全鍵共通基端部２０の前後方向の厚みと同じに設定されている。
【００３２】
図５、図６に示すように、第１白鍵ユニットＷＵ１の第１白鍵共通基端部２１には、鍵フレーム１０の突部１７ａに対応する円形の嵌合穴２１ｂが、前後方向に貫通して形成されている。また、第１白鍵共通基端部２１の後面には、嵌合穴２１ｂとは鍵並び方向における異なる位置に、突部１７ａと同形状の突部２１ａが一体に突設形成されている（図４も参照）。
【００３３】
第２白鍵ユニットＷＵ２の第２白鍵共通基端部２２の後面には、嵌合穴２１ｂと同様の、第１白鍵ユニットＷＵ１の突部２１ａに対応する嵌合穴２２ａが、前後方向に貫通して形成されている。黒鍵ユニットＢＵの黒鍵共通基端部２３の後面には、鍵フレーム１０の嵌合穴１６ｃに対応して突部１７ａと同形状の突部２３ａが一体に突設形成されている（図２（ａ）、図３、図４も参照）。
【００３４】
鍵ユニットＵＮＴは、事前に一体的に組み付けられて、鍵フレーム１０に取り付けられる。まず、第１白鍵ユニットＷＵ１の第１白鍵共通基端部２１の後面側に第２白鍵ユニットＷＵ２の第２白鍵共通基端部２２を重ね合わせると共に、嵌合穴２２ａに突部２１ａを嵌合する。これにより、第１白鍵ユニットＷＵ１と第２白鍵ユニットＷＵ２との前後、左右、上下の全方向の位置が規制される。次に、第２白鍵共通基端部２２の後面側に黒鍵ユニットＢＵの黒鍵共通基端部２３を重ね合わせると共に、共通基端部２１、２２が両側の仮止め片３１間に挟まれるように位置させる。これにより、白鍵ユニットＷＵ１、ＷＵ２と黒鍵ユニットＢＵとの前後方向の位置が規制されると共に、左右方向の位置が仮規制される。
【００３５】
そして、３層に積層状態となった鍵ユニットＵＮＴの全鍵共通基端部２０を、鍵フレーム１０の凹溝１５に上方から嵌合する。すると、弾性片１７の突部１７ａが第１白鍵共通基端部２１の嵌合穴２１ｂに嵌合されると共に、黒鍵共通基端部２３の突部２３ａが弾性片１６の嵌合穴１６ｃに嵌合される（図６参照）。その際、弾性片１７、１６は、各々の弾性により、それぞれ前側、後側に一旦撓んだ後、上記の突部１７ａ、２３ａと嵌合穴２１ｂ、１６ｃとの嵌合に伴い元の状態に戻る。これにより、全鍵共通基端部２０が凹溝１５に弾性的に嵌合固定され、鍵ユニットＵＮＴの鍵フレーム１０への装着が完了する。
【００３６】
装着状態においては、図６に示すように、突部２３ａと嵌合穴１６ｃとの嵌合により、鍵フレーム１０に対する黒鍵ユニットＢＵの左右、上下の各方向の位置が規制される。突部１７ａと嵌合穴２１ｂとの嵌合により、鍵フレーム１０に対する第１白鍵ユニットＷＵ１、第２白鍵ユニットＷＵ２の左右、上下の各方向の位置が規制される。
【００３７】
ところで、全鍵共通基端部２０の下端面は、厳密には、凹溝１５の底面からは僅かに浮いている。しかし、全鍵共通基端部２０に上方から過剰な力がかかった場合は、全鍵共通基端部２０が下方に変位し、その下端面が凹溝１５の底面に当接することはあり得る。すなわち、突部１７ａ、２３ａが嵌合穴２１ｂ、１６ｃの下部を付勢して、弾性片１７、１６を前後に少し広げることによって、突部１７ａ、２３ａと嵌合穴２１ｂ、１６ｃとの位置が一時的にずれ、主として凹溝１５の底面が全鍵共通基端部２０の加重を受ける。これにより、過剰な外力により突部１７ａ、２３ａ、嵌合穴２１ｂ、１６ｃに大きな負荷がかかることが回避される。
【００３８】
鍵ユニットＵＮＴを鍵フレーム１０から取り外すには、２箇所の爪部１６ａを操作して可撓部１６ｂを後方に撓ませ、全鍵共通基端部２０を上方に抜けばよい。
【００３９】
鍵ユニットＵＮＴの組み付け後は、押鍵操作すると、各白鍵本体２７、黒鍵本体２８が、ヒンジ部２４〜２６の弾性により下方に揺動し、押鍵ストッパ１１にストッパ当接片２９、３０の下端が当接して、押鍵終了状態となる。一方、押鍵を解除すると、各白鍵本体２７、黒鍵本体２８が、ヒンジ部２４〜２６の弾性により上方に揺動し、ストッパ当接片２９、３０の上端が上限ストッパ１４に当接して、各白鍵本体２７、黒鍵本体２８が非押鍵位置に復帰する。
【００４０】
ところで、ヒンジ部２４、２５、２６は、押鍵面２７ａ、２８ａよりも下の位置で下方に延びているので、これらヒンジ部が上方に延びた構成や一般的な水平ヒンジの構成に比し、押鍵時における押鍵面２７ａ、２８ａの軌跡が良好なものとなる。すなわち、通常、押鍵面２７ａ、２８ａ上の任意の位置（以下、「押鍵点」と呼称する）は、押鍵により回動支点を中心とした円上を回動移動するので、前後方向に着目すると、押鍵が進むにつれて押鍵点は後方に移動していく。
【００４１】
しかし、それだけでなく、ヒンジタイプの鍵では、ヒンジ部の撓みによっても押鍵点が変位する。例えば、水平ヒンジでは、ヒンジ部前部が下方に撓むことによる、押鍵点の位置の後方への変位が加わる。ヒンジ部が上方に延びた構成においても、ヒンジ部下部が後方に撓むことによる、押鍵点の位置の後方への変位が加わる。このように押鍵点が後方に変位する量が多いと、繊細な演奏表現には不利である。
【００４２】
ところが、本実施の形態では、押鍵により、ヒンジ部２４、２５、２６の上部が前方に撓むので、ヒンジ部２４、２５、２６の撓みによっては、むしろ押鍵点が前方に変位することになる。従って、ヒンジ部２４、２５、２６の撓みは、上記回動支点を中心とした回動移動による後方への変位を相殺する方向に作用することになるため、結果として、押鍵往行程における押鍵点の後方への変位が抑制される。
【００４３】
これにより、実質的な押鍵点の前後方向の変位が小さくなり、押鍵点がほぼ真っ直ぐに降りる軌跡となる。これは、アコースティックグランドピアノのような長尺で鍵下部に支点を有する鍵における押鍵点の軌跡に近いものである。従って、押鍵面２７ａ、２８ａの軌跡を良好にして、表現力向上に寄与することができる。
【００４４】
本実施の形態によれば、鍵ユニットＵＮＴにおいて、ヒンジ部２４〜２６が、押鍵面２７ａとは直角を成し、下方に鉛直方向に延び、鍵並び方向には平行であるので、鍵ユニットＵＮＴの鍵長手方向の寸法を短くでき、鍵盤装置の奥行き寸法を抑えることができる。また、弾性片１６、１７の弾性変形によって、鍵ユニットＵＮＴの全鍵共通基端部２０が凹溝１５に嵌合固定されるので、ネジ止め等で固定することが必須の構成に比し、鍵ユニットＵＮＴを簡単な作業にて鍵フレーム１０に組み付けることができる。特に、後方からのネジ止めが不要であるため、鍵盤装置の前後反転等の工程が不要で、作業性が良い。なお、実際の製品において、上記した弾性嵌合による固定に加えて、ネジ止め等によるより完全な固定手段を加えることは問題ない。
【００４５】
また、全鍵共通基端部２０は、凹溝１５に対して嵌合的形状を有する突条部という関係にあるので、嵌合固定の構成が簡単である。また、全鍵共通基端部２０を凹溝１５に嵌合することにより、突部１７ａ、２３ａと嵌合穴２１ｂ、１６ｃとが嵌合するので、自然に、全鍵共通基端部２０の凹溝１５に対する抜け止め状態になるようにして、固定状態の安定化と作業性向上を図ることができる。
【００４６】
また、全鍵共通基端部２０は、共通基端部２１〜２３を積層して成り、しかも、３つの鍵ユニットＷＵ１、ＷＵ２、ＢＵが仮止め片３１によって左右方向にばらけないように仮位置決めされるので、３つの鍵ユニットＷＵ１、ＷＵ２、ＢＵをひとまとめにして鍵フレーム１０に組み付ける際の取り扱いを容易にして、作業性を一層高めることができる。
【００４７】
なお、鍵フレーム１０に組み付ける前の状態で白鍵ユニットＷＵ１、ＷＵ２と黒鍵ユニットＢＵとの左右方向の位置を仮規制する構成としては、仮止め片３１に限られない。例えば、仮止め片３１と同様のものを白鍵ユニットＷＵ１、ＷＵ２のいずれかから後方に延設してもよい。あるいは、第２白鍵共通基端部２２と黒鍵共通基端部２３とに、上記した突部２１ａ及び嵌合穴２２ａと同様の突部及び嵌合穴の組み合わせを設けてもよい。
【００４８】
なお、鍵フレーム１０の嵌合穴１６ｃと黒鍵共通基端部２３の突部２３ａとは、共に廃止してもよい。すなわち、白鍵本体２７については、押鍵面２７ａの特に前端近傍が押鍵されると、押鍵ストッパ１１に当接したストッパ当接片２９（図２（ａ）参照）を支点として、白鍵本体２７の後端が上方に持ち上がるような力を受けることになる。ところが、黒鍵本体２８については、ストッパ当接片３０が黒鍵本体２８の最前端位置から垂下しているため（図３参照）、仮に押鍵面２８ａの先端が押下されたとしても、黒鍵本体２８の後端に、ストッパ当接片３０を支点とした上方への付勢力が生じることがない。
【００４９】
そのため、通常の演奏使用において、黒鍵共通基端部２３は上方に抜けるような力を受けない。従って、上記のように、嵌合穴１６ｃ及び突部２３ａを廃止しても支障がない。このように構成する場合は、例えば、黒鍵共通基端部２３の下端が凹溝１５の底面に当接することで、上下方向の適切な位置が規制されるように構成してもよい。なお、このように構成する場合は、仮止め片３１に代えて、黒鍵共通基端部２３と鍵フレーム１０または第２白鍵共通基端部２２との間に、両者間の左右方向の位置決めをするための当接部と被当接部、あるいは突部と凹部の組み合わせ等の機構を設けてもよい。
【００５０】
このような構成によれば、鍵ユニットＵＮＴの組み付け後であっても、黒鍵ユニットＢＵのみを容易に取り外すことが可能である。また、取り付け時においても、鍵ユニットＷＵ１、ＷＵ２を鍵フレーム１０に取り付けてから、黒鍵ユニットＢＵを取り付けるという工程編成も可能となる。
【００５１】
（第２の実施の形態）
図７は、本発明の第２の実施の形態に係る鍵盤装置の１オクターブ分の部分を示す斜視図である。本実施の形態の鍵盤装置は、鍵ユニットＵＮＴに相当する鍵ユニットＵＮＴ２が、鍵フレーム１０に相当する鍵フレーム１１０に組み付けられてなる。鍵ユニットＵＮＴ２は、第１白鍵ユニットＷＵ１１、第２白鍵ユニットＷＵ１２及び黒鍵ユニットＢＵ１０が積層状態に組み付けられてなる。
【００５２】
図８は、白鍵ユニットＷＵ１１の斜視図である。図９（ａ）は、白鍵、黒鍵ユニットＷＵ１１、ＷＵ１２、ＢＵ１０及び鍵ユニットＵＮＴ２の後半部の側面図である。図９（ｂ）は、本鍵盤装置の後端部の右側面図である。図１０は、鍵フレーム１１０及び鍵ユニットＵＮＴ２の組み付け前の状態を分解して示す平面図である。図１０において、左から順に、鍵ユニットＷＵ１１、ＷＵ１２、ＢＵ１０の各後端部、そして最右側には、鍵フレーム１１０の後部１１０ａが示されている。図７〜図１０において、第１の実施の形態と同じ構成要素には同じ符号が付してある。
【００５３】
図７、図９（ｂ）、図１０に示すように、鍵フレーム１１０の後部１１０ａには、第１の実施の形態における凹溝１５に相当する凹溝１１５が形成されている。凹溝１１５の後側には、弾性片１６が一体に突設形成されている。弾性片１６の構成は第１の実施の形態のものと同じである。なお、弾性片１７は設けられていない。鍵フレーム１１０のその他の部分の構成は、上記した鍵フレーム１０と同様である。
【００５４】
鍵ユニットＷＵ１１、ＷＵ１２、ＢＵ１０については、いずれも樹脂で一体に形成され、各白鍵本体２７、黒鍵本体２８及びヒンジ部２４〜２６の構成は第１の実施の形態のものと同じであるが、各共通基端部の構成が第１の実施の形態とは異なる。
【００５５】
まず、図８〜図１０に示すように、白鍵ユニットＷＵ１１において、ヒンジ部２４の下端部が、第１白鍵共通基端部１２１に接続されている。第１白鍵共通基端部１２１は、側面視コ字状乃至Ｕ字状に屈曲し、上方に開口した凹部１２１ａを有している。図８に示すように、第１白鍵共通基端部１２１の後側の板部（凹部１２１ａの後側）には、鍵並び方向における複数箇所（例えば２箇所）に、上記弾性片１６と同様に構成される弾性片５１が一体に突設形成されている。
【００５６】
弾性片５１は、上方に延設された部分である可撓部５１ｂを有し、可撓部５１ｂの後面には、鍵フレーム１１０の嵌合穴１６ｃに対応して、背面視円形の突部１２１ｂが一体に形成されている。また、可撓部５１ｂの上端からは、後方に屈曲した操作用の爪部５１ａが延設されている。可撓部５１ｂには、円形の嵌合穴５１ｃが、前後方向に貫通して形成されている（図１０も参照）。
【００５７】
図９（ａ）、図１０に示すように、第２白鍵ユニットＷＵ１２において、ヒンジ部２５の下端部が、第２白鍵共通基端部１２２に接続されている。第２白鍵共通基端部１２２の後面には、上記突部１２１ｂと同形状の突部１２２ａが一体に形成されている。その他の構成は、上記した第２白鍵共通基端部２２と同様である。
【００５８】
図９（ａ）、図１０に示すように、黒鍵ユニットＢＵ１０において、ヒンジ部２６の下端部が、１オクターブ分の長さに亘る黒鍵共通基端部１２３に接続されている。黒鍵共通基端部１２３には、第２白鍵共通基端部１２２の突部１２２ａに対応する円形の嵌合穴１２３ｂが、前後方向に貫通して形成されている（図１０参照）。また、黒鍵共通基端部１２３の後面には、鍵フレーム１１０の嵌合穴５１ｃに対応して、嵌合穴１２３ｂとは鍵並び方向における異なる位置に、上記突部１２１ｂと同形状の突部１２３ａが一体に形成されている。その他の構成は、上記した黒鍵共通基端部２３と同様である。
【００５９】
鍵ユニットＵＮＴ２は、事前に一体的に組み付けられて、鍵フレーム１１０に取り付けられる。まず、第２白鍵ユニットＷＵ１２の第２白鍵共通基端部１２２の後面側に、黒鍵ユニットＢＵ１０の黒鍵共通基端部１２３を重ね合わせ、突部１２２ａと嵌合穴１２３ｂとを嵌合する。次に、重ねられた第２白鍵共通基端部１２２及び黒鍵共通基端部１２３を、第１白鍵ユニットＷＵ１１の第１白鍵共通基端部１２１の凹部１２１ａに嵌合する。その際、第１白鍵共通基端部１２１の前側の板部と後側の板部とが弾性により一旦開き、上記嵌合がなされると共に、嵌合穴５１ｃに突部１２３ａが嵌合する。
【００６０】
これにより、第１白鍵共通基端部１２１、第２白鍵共通基端部１２２及び黒鍵共通基端部１２３が３層に積層され、これらが、上記全鍵共通基端部２０に相当する全鍵共通基端部１２０となる（図９（ａ）、（ｂ）参照）。突部１２２ａと嵌合穴１２３ｂとの嵌合、及び突部１２３ａと嵌合穴５１ｃとの嵌合によって、第１白鍵ユニットＷＵ１１に対する第２白鍵ユニットＷＵ１２及び黒鍵ユニットＢＵ１０の上下、左右の各方向の位置が規制される。
【００６１】
次に、３層に積層状態となった鍵ユニットＵＮＴ２の全鍵共通基端部１２０を、鍵フレーム１１０の凹溝１１５に上方から嵌合する。すると、弾性片１６の弾性変形を経て、第１白鍵共通基端部１２１の突部１２１ｂが、鍵フレーム１１０の嵌合穴１６ｃに嵌合される。突部１２１ｂと嵌合穴１６ｃとの嵌合により、鍵フレーム１１０に対する全鍵共通基端部１２０の左右、上下の各方向の位置が規制される。このようにして、全鍵共通基端部１２０が凹溝１１５に弾性的に嵌合固定され、鍵ユニットＵＮＴ２の鍵フレーム１１０への装着が完了する。
【００６２】
鍵ユニットＵＮＴ２を鍵フレーム１１０から取り外す操作は、第１の実施の形態と同様である。また、鍵ユニットＵＮＴ２を分解するために、第２白鍵共通基端部１２２及び黒鍵共通基端部１２３を、第１白鍵ユニットＷＵ１１の第１白鍵共通基端部１２１の凹部１２１ａから取り外すには、２箇所の爪部５１ａを後方に付勢操作してから上方に抜けばよい。着脱時におけるその他の作用は第１の実施の形態と同様である。
【００６３】
本実施の形態によれば、第１の実施の形態と同様の効果を奏することができる。しかも、第２白鍵共通基端部１２２及び黒鍵共通基端部１２３が第１白鍵ユニットＷＵ１１の凹部１２１ａに嵌合保持されることから、鍵フレーム１１０への取り付け前の鍵ユニットＵＮＴ２を一層扱い容易にすることができる。
【００６４】
（第３の実施の形態）
上記第１、第２の実施の形態では、白鍵、黒鍵共通基端部、鍵フレームの相互の関係において、隣接するものの間に突部と嵌合穴を設けたが、２つ以上の嵌合穴に対して１つの突部が嵌合されるように構成してもよい。
【００６５】
図１１（ａ）は、第３の実施の形態に係る鍵盤装置の後端部の右側面図である。本実施の形態の鍵盤装置は、鍵ユニットＵＮＴに相当する鍵ユニットＵＮＴ３が、鍵フレーム１０に相当する鍵フレーム２１０に組み付けられてなる。図１１（ｂ）は、全鍵共通基端部２２０の鍵フレーム２１０への組み付け態様を示す模式図である。
【００６６】
図１１（ａ）、（ｂ）に示すように、鍵ユニットＵＮＴ３においては、上記第１、第２白鍵共通基端部２１、２２、黒鍵共通基端部２３に相当する第１、第２白鍵共通基端部２２１、２２２、黒鍵共通基端部２２３が積層されて、全鍵共通基端部２０に相当する全鍵共通基端部２２０となっている。
【００６７】
第１、第２白鍵共通基端部２２１、２２２にはそれぞれ、上記嵌合穴２１ｂ（図６参照）に相当する嵌合穴２２１ａ、２２２ａが形成されている。黒鍵共通基端部２２３の後面には、上記突部２３ａに相当する突部２２３ａが突設形成されている。一方、鍵フレーム２１０には、上記凹溝１５に相当する凹溝２１５が形成されている。第１の実施の形態と同様に、凹溝２１５の後側において、弾性片１６に、突部２２３ａに対応する嵌合穴１６ｃが形成されている。
【００６８】
また、凹溝２１５の前側において、鍵フレーム２１０には、突部２１０ａが突設形成されている。なお、上記した弾性片１７を設け、突部２１０ａを該弾性片１７から突設してもよい。突部２１０ａは、嵌合穴２２１ａ、２２２ａに対応し、嵌合穴２２１ａの前後方向の長さよりも長く、嵌合穴２２１ａと嵌合穴２２２ａの長さを足した分より短い。その他の構成は、第１の実施の形態と同様である。
【００６９】
かかる構成において、鍵ユニットＵＮＴ３を鍵フレーム２１０に組み付けるには、図１１（ｂ）に示すように、まず、第１白鍵共通基端部２２１を上方から凹溝２１５内に挿入し、その後、前方に移動させて、突部２１０ａに嵌合穴２２１ａを嵌合する。次に、同様にして、第２白鍵共通基端部２２２を上方から凹溝２１５内に挿入し、その後、前方に移動させて、突部２１０ａに嵌合穴２２２ａを嵌合する。次に、黒鍵共通基端部２２３を上方から凹溝２１５内に挿入嵌合する。すると、弾性片１６の弾性変形を経て、突部２２３ａが嵌合穴１６ｃに嵌合する。
【００７０】
これにより、各共通基端部が積層されて全鍵共通基端部２２０となると同時に、全鍵共通基端部２２０が凹溝２１５に弾性的に嵌合固定され、鍵ユニットＵＮＴ３の鍵フレーム２１０への装着が完了する。
【００７１】
本実施の形態によれば、鍵盤装置の奥行き寸法を抑えると共に、簡単な作業にて鍵ユニットを鍵フレームに組み付けることができる。従って、複数の白鍵、黒鍵ユニットを鍵ユニットとしてひとまとめにして組み付ける点を除けば、第１の実施の形態と同様の効果を奏することができる。
【００７２】
なお、突部２１０ａにて、鍵ユニットＵＮＴ３をひとまとめにするには、突部２１０ａの長さを、嵌合穴２２１ａと嵌合穴２２２ａの長さを足した分より長く且つ全鍵共通基端部２２０の総厚より短く構成すると共に、突部２２３ａ及び嵌合穴１６ｃに代えて、黒鍵共通基端部２２３に、突部２１０ａに嵌合する嵌合穴を設けてもよい。この場合、例えば、第１白鍵共通基端部２２１に対向する鍵フレーム２１０の部分に、前後方向に撓む弾性片を設け、この弾性片に突部２１０ａを設ける。これにより、黒鍵共通基端部２２３を挿入する際、弾性片が前方に撓んで挿入、嵌合が可能となる。
【００７３】
なお、上記第１〜第３の実施の形態においては、各共通基端部の鍵フレームへの嵌合固定は、主として鍵フレームの弾性によってなされたが、これに限られず、両者またはいずれか一方のみの弾性変形を利用して嵌合固定がなされるように構成されればよい。また、白鍵ユニットは、２つに分けて構成したが、これを１つにまとめて一体に構成し、黒鍵ユニットとの２分割構成としてもよい。
【００７４】
例えば、図１２に変形例の鍵盤装置の後端部を側面視で示すように、第１、第２白鍵ユニットＷＵ１、ＷＵ２に相当するものを一体に構成した１つの白鍵ユニットＷＵｘを、黒鍵ユニットＢＵｘとは別体で構成する。白鍵ユニットＷＵｘの白鍵共通基端部６１は、側面視で下方に開口したコ字状の凹溝６１ｃを有する。黒鍵ユニットＢＵｘも同様に、黒鍵共通基端部６２にコ字状の凹溝６２ｃを有する。白鍵共通基端部６１には、嵌合穴６１ａ、６１ｂが貫通して形成され、黒鍵共通基端部６２にも嵌合穴６２ａ、６２ｂが貫通して形成される。
【００７５】
鍵フレーム３００の上部には、鍵並び方向に沿った突条状の支持部３０１、３０２が突設形成されている。支持部３０１、３０２の前後両側には、嵌合穴６１ａ、６１ｂ、６２ａ、６２ｂに対応する突部３０１ａ、３０１ｂ、３０２ａ、３０２ｂが突設形成されている。
【００７６】
かかる構成において、凹溝６１ｃ、６２ｃに支持部３０１、３０２が挿入されると、白鍵共通基端部６１、黒鍵共通基端部６２の弾性変形を経て、凹溝６１ｃ、６２ｃに支持部３０１、３０２が嵌合される。その際、嵌合穴６１ａ、６１ｂ、６２ａ、６２ｂに突部３０１ａ、３０１ｂ、３０２ａ、３０２ｂが嵌合される。
【００７７】
このように、主として白鍵、黒鍵ユニットＷＵｘ、ＢＵｘ側の弾性変形を利用して、各共通基端部６１、６２が鍵フレームへ３００に嵌合固定されるように構成してもよい。
【００７８】
なお、上記各実施の形態において、鍵ユニットＵＮＴ、ＵＮＴ２、ＵＮＴ３は、いずれも１オクターブ単位で構成したが、これに限るものでなく、複数鍵が含まれる所定音域単位で構成すればよい。また、１つの鍵ユニットＵＮＴ等を構成する白鍵ユニット、黒鍵ユニットの数は限定されない。また、鍵ユニットＵＮＴ等は、白鍵ユニットと黒鍵ユニットとに分けて構成する必要はなく、所定音域の複数白鍵及び複数黒鍵を有する１つの鍵ユニットとして構成してもよい。
【００７９】
なお、上記各実施の形態において、共通基端部同士の位置関係あるいは共通基端部と鍵フレームとの位置関係を規制する機構として、突部と嵌合穴の組み合わせ（突部１７ａ及び嵌合穴２１ｂ、突部２３ａ及び嵌合穴１６ｃ等；図６参照）を例示したが、これに限るものではない。例えば、突部と嵌合穴の配置関係（凹凸関係）を逆にしてもよい。あるいは、嵌合穴は貫通穴でなくてもよく、突部に対して当接や嵌合等によって係合する凹部等の係合部であってもよい。また、それらの数も限定されない。特に、全鍵共通基端部が鍵フレームから抜けないように保持する機構についても、突部と嵌合穴に限られず、全鍵共通基端部に係合部を設けると共に、鍵フレームには、該係合部と係合して全鍵共通基端部を下方に押さえ込む爪のような機構を設けてもよい。
【００８０】
結局、上記各実施の形態において、弾性変形を利用して、簡単な作業にて鍵ユニットを鍵フレームに組み付け、なおかつ容易には外れないようにするための最低限の構成を考察すると、全鍵共通基端部または鍵フレームの少なくとも一方を弾性変形可能に構成し、且つ、積層された全鍵共通基端部のうち白鍵共通基端部のどこか一部に、鍵フレームとの上下、左右方向の位置を規制する機構を設ければよい。このような位置を規制する機構は、上述したように、黒鍵共通基端部には必須でない。また、特に、白鍵ユニットが２つ以上に分割して構成される場合は、それらの共通基端部同士の位置関係を規制する機構も設ければよい。
【００８１】
なお、上記各実施の形態において、ヒンジ部２４〜２６は、鉛直方向に延設されたが、鍵盤装置の奥行き寸法を極力抑えると共に、押鍵面２７ａ、２８ａの軌跡を良好にする観点からは、押鍵面２７ａに対して交差し且つ鍵並び方向に平行に形成されていればよい。従って、例えば、後方に向かって下方に斜めに傾斜していてもよい。また、共通基端部自体はヒンジ部２４〜２６とは平行でなくてもよく、同厚である必要もない。また、ヒンジ部２４〜２６との間に前後方向の段差を有していてもよい。
【図面の簡単な説明】
【００８２】
【図１】本発明の第１の実施の形態に係る鍵盤装置の主要部の右側面図である。
【図２】鍵ユニットの斜視図（図（ａ））、鍵フレームの斜視図（図（ｂ））である。
【図３】黒鍵ユニットの斜視図である。
【図４】白鍵、黒鍵ユニット及び鍵ユニットの後半部の側面図である。
【図５】鍵フレーム及び鍵ユニットの組み付け前の状態を分解して示す平面図である。
【図６】図５のＡ−Ａ線に沿う断面図である。
【図７】本発明の第２の実施の形態に係る鍵盤装置の１オクターブ分の部分を示す斜視図である。
【図８】白鍵ユニットの斜視図である。
【図９】鍵ユニット及び鍵ユニットの後半部の側面図（図（ａ））、本鍵盤装置の後端部の右側面図（図（ｂ））である。
【図１０】鍵フレーム及び鍵ユニットの組み付け前の状態を分解して示す平面図である。
【図１１】本発明の第３の実施の形態に係る鍵盤装置の後端部の右側面図（図（ａ））、全鍵共通基端部の鍵フレームへの組み付け態様を示す模式図（図（ｂ））である。
【図１２】変形例の鍵盤装置の後端部を側面視で示す図である。
【符号の説明】
【００８３】
ＵＮＴ、ＵＮＴ２、ＵＮＴ３  鍵ユニット、  ＷＵ１、ＷＵ１１  第１白鍵ユニット（鍵ユニット）、  ＷＵ２、ＷＵ１２  第２白鍵ユニット（鍵ユニット）、  ＷＵｘ  白鍵ユニット（鍵ユニット）、  ＢＵ、ＢＵ２、ＢＵ１０、ＢＵｘ  黒鍵ユニット（鍵ユニット）、  １０、１１０、２１０、３００  鍵フレーム、  ２４、２５、２６  ヒンジ部、  ２７  白鍵本体（鍵本体部）、  ２８  黒鍵本体（鍵本体部）、  ２７ａ、２８ａ  押鍵面、  １５、１１５、２１５  凹溝（基端部支持部）、  １６ｃ、２１ｂ、２２１ａ、２２２ａ、６１ａ、６１ｂ、６２ａ、６２ｂ  嵌合部（嵌合穴）、  １７ａ、２３ａ、１２１ｂ、２１０ａ、２２３ａ、３０１ａ、３０１ｂ、３０２ａ、３０２ｂ  突部、  ２０、１２０、２２０  全鍵共通基端部、  ２１、１２１、２２１  第１白鍵共通基端部、  ２２、１２２、２２２  第２白鍵共通基端部、  ２３、１２３、２２３、６２  黒鍵共通基端部、  ６１  白鍵共通基端部、  ３１  仮止め片（位置規制手段）、  ５１ｃ  嵌合穴（位置規制手段の一部）、  １２２ａ  突部（位置規制手段の一部）、  １２３ａ  突部（位置規制手段の一部）、  １２３ｂ  嵌合穴（位置規制手段の一部）、  ３０１、３０２  支持部（基端部支持部）
【図１】
0004839969.tif 000002
【図２】
0004839969.tif 000003
【図３】
0004839969.tif 000004
【図４】
0004839969.tif 000005
【図５】
0004839969.tif 000006
【図６】
0004839969.tif 000007
【図７】
0004839969.tif 000008
【図８】
0004839969.tif 000009
【図９】
0004839969.tif 000010
【図１０】
0004839969.tif 000011
【図１１】
0004839969.tif 000012
【図１２】
0004839969.tif 000013